(57)【特許請求の範囲】
【請求項１】
給水設備を備えた豚舎における養豚方法であって、
前記給水設備から、水を活水化するセラミックスを充填したカラムを通過させた水を供給して豚の飲料水とし、
稲及び麦の籾殻、及び大豆の皮から成る植物性材料の１以上の燃焼灰を飼料に混ぜて豚に給餌し、
更に、前記燃焼灰をおが屑に混合し、これを敷き詰めて豚舎の床敷にすることを特徴とする養豚方法。
【請求項２】
前記燃焼灰は、前記植物材料を加圧して１０％塩酸で煮沸後６００℃でか焼した燃焼灰であることを特徴とする請求項１に記載の養豚方法。
【請求項３】
前記燃焼灰は、８０００メッシュを通過する炭素を含まない白色の多孔質の粉末であることを特徴とする請求項１又は２に記載の養豚方法。
【請求項４】
前記飼料における前記燃焼灰の含量は、０．１重量％〜３重量％であることを特徴とする請求項１乃至３の何れか１項に記載の養豚方法。
【請求項５】
前記床敷における前記燃焼灰の含量は、１重量％〜１０重量％であることを特徴とする請求項１乃至４の何れか１項に記載の養豚方法。
【請求項６】
前記セラミックスは、１５００℃〜２０００℃の温度で焼成されたものであることを特徴とする請求項１乃至５の何れか１項に記載の養豚方法。
【請求項７】
前記セラミックスは、水が通過するカラム内に充填され、前記カラム内で、前記セラミックスが水の通過に伴って振動するように構成されていることを特徴とする請求項１乃至６の何れか１項に記載の養豚方法。
【請求項８】
前記給水設備から供給される水を前記養豚舎内に散布することを特徴とする請求項１ないし７の何れか一項に記載の豚の養豚方法。
【発明の詳細な説明】
【技術分野】
【０００１】
本発明は、豚を飼育する際の養豚方法に関する
【背景技術】
【０００２】
豚の飼育に関し、近年、豚を大量に生産することにより、低コストが図られているが、周囲に及ぼす環境の悪影響や、飼育環境の悪化に伴う肉質の低下など様々な問題を有している。また、大量に発生する糞尿は、その処理をする為に、莫大な設備投資を迫られることにもなる。
動物の健康増進や臭いを低減させるものとして、特許第２９７５５６２号公報には、動物の飼料中に遠赤外線放射物質である石質隕石の粉末を含ませる動物用飼料が開示されている。この動物用飼料は、飼料の原材料１ｋｇあたり５〜１５ｇを添加することが良いとするものである。そして、粉末の粒径は４０〜５０μｍであること、及び、石質隕石の成分は二酸化珪素が６５％であることが記載され、犬の健康状態を良好に保ち、糞尿の臭いや体臭が消えることが示されている。このような効果については、４〜１４μｍの遠赤外線が、水の構造に影響を与え、水のクラスターを小さくして細胞内に浸透しやすくさせるとし、これにより、石質隕石の粉末を食べた動物は、体内において細胞が活性化され、動物の健康状態が改善されるとしている。遠赤外線放射物質としては、花崗岩の石、セラミックス、トルマリン石が利用できると記載されている。この公報は、遠赤外線放射物質をドッグフードに混ぜて肥満を防止することができる等の効果を奏するものであるとしている。
【０００３】
特開平９−１６９５８６号公報は、畜産施設における汚濁物の処理方法であり、家畜を飼育する畜産施設の床面に踏み床（敷材）を敷設して構成されている。敷材は発酵させた堆肥に籾殻又は木屑等を混合したものである。そして、踏み床には、充填材の溶出液が散布されることが記載されている。敷材には、溶出性シリカ成分を含有する軽石を添加混合することが記載され、さらに、充填材の溶出液は溶出性シリカ成分を含み、水の活性化と有用微生物の増殖を補助し、敷材の堆肥化を促進すると記載されている。この公報は、敷材に家畜の排泄した糞尿を受け入れ、敷材と共に糞尿を発酵させて堆肥化するものである。尚、この公報に記載の溶出性シリカは、鉱石由来のシリカを軽石に含ませたものである。
【特許文献１】特許第２９７５５６２号公報
【特許文献２】特開平９−１６９５８６号公報
【発明の開示】
【発明が解決しようとする課題】
【０００４】
本発明は、豚の発育を向上させてその肉質を向上させるために、豚の糞尿による悪臭を少なくし、且つ、飼育効率が良く良質な肉質が得られるようにした養豚方法を提供するものである。
【課題を解決するための手段】
【０００５】
請求項１の発明は、給水設備を備えた豚舎における養豚方法であって、
給水設備から、水を活水化するセラミックスを充填したカラムを通過させた水を供給して豚の飲料水とし、
稲及び麦の籾殻、及び大豆の皮から成る植物性材料の１以上の燃焼灰を飼料に混ぜて豚に給餌し、
更に、燃焼灰をおが屑に混合し、これを敷き詰めて豚舎の床敷にすることを特徴とする。
請求項２の発明は、燃焼灰は、植物材料を加圧して１０％塩酸で煮沸後６００℃でか焼した燃焼灰であることを特徴とする。
請求項３の発明は、燃焼灰は、８０００メッシュを通過する炭素を含まない白色の多孔質の粉末であることを特徴とする前記植物性材料が、籾殻及び／又は大豆の皮であることを特徴とする。
請求項４の発明は、飼料における燃焼灰の含量は、０．１重量％〜３重量％であることを特徴とする。
請求項５の発明は、床敷における燃焼灰の含量は、１重量％〜１０重量％であることを特徴とする。
【０００６】
請求項６の発明は、セラミックスは、１５００℃〜２０００℃の温度で焼成されたものであることを特徴とする。
請求項７の発明は、セラミックスは、水が通過するカラム内に充填され、カラム内で、セラミックスが水の通過に伴って振動するように構成されていることを特徴とする。
請求項８の発明は、前記給水設備から供給される水を前記養豚舎内に散布することを特徴とする。
【発明の効果】
【０００７】
水を活水化する活水設備が敷設された養豚舎は、活水化した水を豚の飲料水や、養豚舎の洗浄にいつでも利用できるので、養豚のための環境を好適なものとする。また、活水化させた水を豚の飲料水とすることにより、豚の代謝を向上させ発育を促し肉質の良い豚とする。そして、植物性材料から得られたシリカを主成分とした燃焼灰を飼料に混ぜた混合飼料を豚に給餌することにより、飼育される豚の発育が促され肉質が向上する。
おが屑の床敷が敷き詰められた養豚舎では、おが屑および燃焼灰により、豚の糞尿による臭気が吸収されるので、臭いが基になる豚のストレスを減少させ、且つ、周囲の環境問題を減少させる。
植物性材料としての籾殻や大豆の皮には、シリカが多く含まれており、これを主成分として燃焼灰が好適に形成される。
おが屑に混合させる燃焼灰は１重量％〜１０重量％程度が良く、糞尿から発生する悪臭が消され、おが屑の床敷が好適に敷設される。
飼料に混合される燃焼灰は、０．１重量％〜３重量％が良く豚の生育は良好なものとなる。
その成分として五酸化リンを含んだ燃焼灰は、消臭作用を有すると共に、豚の発育を促進する。
燃焼灰は８０００メッシュを通過する微細な粉末として形成することにより、飼料に混ぜて混合飼料とすることや、おが屑に混ぜて好適なおが屑床敷とすることができる。
【０００８】
活水設備は、セラミックスが充填される活水器を含み、水の通過によってセラミックスを互いに衝突させることにより、衝突エネルギーで水を活水化させることができる。
セラミックスは１５００℃から２０００℃で焼成することにより、球状のセラミックスとすることができる。
さらに、活水化した水を養豚舎内に散布することにより、養豚舎内を清潔に保つことができるので、豚の糞尿による悪臭を少なくすることができる。
【図面の簡単な説明】
【０００９】
【図１】豚の飼育方法を説明する説明図である。
【図２】（ａ）は、第一の活水器の内部構造であり、（ｂ）は、第二の活水器の内部構造を説明する説明図である。
【符号の説明】
【００１０】
１    授乳期間
２    子豚飼育期間
３    成豚飼育期間
１０    活水器
１１    カラム
１２    セラミックス
１３    水流
１４    配水管
１５      切り板
【発明を実施するための最良の形態】
【００１１】
本実施の形態における養豚方法は、養豚舎が、子豚を飼育する子豚舎および成豚を飼育する成豚舎を備えている。そして、豚の飲料水を供給する給水設備の配管部に、セラミックス１２を収納した活水部（活水器）を設け、給水設備から豚の成育を向上させる活性化水が供給されるようになっている。さらに、子豚舎とは別室として設けられている成豚舎には、おが屑床敷が備えられており、おが屑と粉末状に形成した燃焼灰とが混合されて敷き詰められている。この燃焼灰は、植物性材料から得られたシリカを主成分とするものであり、飼料に混ぜて混合飼料として豚に供給される。
【実施例１】
【００１２】
豚は、通常、体重１．４ｋｇ程度の体重で生まれ、生後６ヶ月目には、体重が１１０ｋｇにもなって食肉用に出荷される。しかし、豚の発育スピードや肉質は、飼料の中身や養豚舎の住み心地によって大きく変わる。以下、生育条件を変えることにより、豚の成育状態を観察した。
図１は、本発明の豚の飼育方法であって、生育条件を変えて豚を飼育することを説明する説明図である。この図１に示すように、生まれた豚の授乳期間１は生後３０日間であり、その後４０日間が子豚飼育期間２であり、その後９０日間が成豚飼育期間３である。そして、子豚飼育期間２および成豚飼育期間３中には、餌に燃焼灰が１％混合２ａされ、成豚飼育期間３中には、燃焼灰が５％混合されたおが屑床敷を敷設３ａする。因みに、豚の飼育期間中、豚の飲料水は活水器で処理した水を飲料水として供給する。
【００１３】
これにより、生育条件の変更は、条件１、生後３０日で子豚の餌に燃焼灰を１％混ぜて供給すること、条件２、活水器で処理した水を飲料水として供給すること、条件３、生後７０日後、おが屑に燃焼灰を５％混合して床敷を提供することになる。
上記条件１、２、３を備えたものを設置後とし、これら条件を備えていない状態を設置前として比較した豚の成育状態の比較表を表１に示す。
【００１４】
【表１】
0005045886.tif 000002
【００１５】
上記表１から明らかなように、条件１、２、３を備えて豚を飼育した場合には、生後１８５〜２００日で出荷していた豚が、生後１６０〜１７０日で出荷できるようになった（飼育期間の短縮）等、有効な効果が認められた。しかも、出荷時の平均体重は、１１０ｋｇ〜１１５ｋｇから１１５ｋｇ〜１２０ｋｇとなり５ｋｇ程度向上した。飼育人件費は、設置前に比べ節約され、養豚舎の悪臭もなくなった。
【００１６】
上記燃焼灰は、植物性材料から得られたシリカを主成分として含むものであり、これを飼料に混ぜた場合には、豚の発育を促進させることができる。以下に、その成分分析の結果を示す。シリカ（ＳｉＯ２）６３．４８％、  酸化アルミ（Ａｌ２Ｏ３）９．４６％、  酸化鉄（Ｆｅ２Ｏ３）１．５１％、  酸化カルシウム（ＣａＯ）１．８０、％  酸化マグネシウム（ＭｇＯ）１５．６６％、  酸化カリウム（Ｋ２Ｏ）０．０２％、  酸化ナトリウム（Ｎａ２Ｏ）０．０４％、  酸化マンガン（ＭｎＯ）０．０２％、五酸化リン（Ｐ２Ｏ５）０．１６％、  酸化チタン（ＴｉＯ２）０．３５％。
【００１７】
上述した燃焼灰におけるシリカは、稲、麦などの籾殻または藁、笹の葉、トウモロコシ、とくさの葉や茎、大豆の皮など、シリカ成分を含有する植物から、その成分を抽出する。特に、籾殻には多量のシリカが含まれており、その燃焼灰に含まれるシリカの量は約６０重量％である。因みに、籾殻に含まれる他の無機酸化物は、カリウム、ナトリウム、マグネシウム、カルシウム等である。このような籾殻からシリカを抽出するには、加圧して籾殻を１０％の塩酸で約２時間煮沸した後６００℃でか焼すること等の処理をする。これにより、白色の非晶質で炭素を含まないシリカを得ることができる。本発明の燃焼灰は、籾殻を基に成分調整し、粒径が８０００メッシュ程度の多孔質な粉末として製造される。
【００１８】
次に、図２の（ａ）および（ｂ）で示す活水器１０で処理した水を豚の飲料水とする条件２について説明する。この活水器１０は給水設備の配水管１４の一部に、セラミックス１２を充填して、活水部を設けたものである。この活水部は、充填されたセラミックス１２が流出しないように、セラミックス１２をカラム１１内に収納し、その前後にゴミ等をろ過するフィルターを設けて形成される。また、カラム１１内に充填されるセラミックス１２は、互いに衝突できる程度の隙間が設けられて充填されている。即ち、セラミックス１２は、水の通過に伴って揺れ動くことで絶えず水と接触し、且つ、互いに衝突することによるエネルギーによって、そのエネルギーを得て水を活水化するように構成されている。このような構成は、図２（ａ）に示すように、配水管１４をカラム１１の底部に取付けて、水流１３の勢いで、セラミックス１２を浮き上がるようにして達成される。この場合、カラム１１の内側壁には、適宜高さで仕切り板１５を設けてもよい。このように仕切り板１５を設けた場合は、上方向へ向う水流１３が、途中で戻されて、上下方向に渦を巻くので、水がセラミックス１２に接触する頻度が向上する。
【００１９】
図２（ｂ）は、主たる配水管１４から分岐させて、別途、配水管１４ａをカラム１１の側壁に設けたものである。この配水管１４ａは、カラムの接線方向から水が流入するように、円筒形に形成されたカラムの側壁に取付けられている。これにより、水流は、カラム１１の内周壁に沿って上方に螺旋を描き流れる。このような水流１３とすることにより、セラミックス１２は、互いに複雑な動きをすることから、頻繁に衝突し、また、水との接触頻度が向上する。因みに、セラミックス１２の衝突を頻繁に行わせる手段として、カラムの下方よりポンプ等を利用して水を脈動させてもよい。
【００２０】
セラミックス１２は、以下に示すような成分を含み、１５５０℃以上２０００℃未満の温度で焼成し、粒径３ｍｍ〜２ｃｍ程度の球状に形成される。セラミックス１２に含まれる成分は、シリカ（ＳｉＯ２）、酸化アルミ（Ａｌ２Ｏ３）、酸化鉄（Ｆｅ２Ｏ３）、酸化チタン（ＴｉＯ２）、酸化カルシウム（ＣａＯ）、酸化カリウム（Ｋ２Ｏ）、酸化ナトリウム（Ｎａ２Ｏ）、酸化マグネシウム（ＭｇＯ）、酸化マンガン（ＭｎＯ２）である。因みに、セラミックス１２で、活水化した水は、これを豚の飲料水とすることにより豚の発育を促進させ、且つ、活水化した水は抗菌性を有するので、これを洗浄水とし、養豚舎内に散布することにより養豚舎内が清潔に保たれる。本実施例においては、活水化した水を洗浄水として使用した。
【００２１】
この洗浄水は、以下の表２、３に示すように、大腸菌および黄色ブドウ球菌に対して抗菌作用を示す。
【表２】
0005045886.tif 000003
【表３】
0005045886.tif 000004
【００２２】
表２及び表３は、大腸菌及び黄色ブドウ球菌の培養試験を示したものである。この表２、３に示すように、大腸菌及び黄色ブドウ球菌は、２４時間後に消滅した。なお、この表２，３に示した試験液は、試験菌液２５０ｍｌにセラミックス１２を１６３．５ｇを入れ、３０秒間攪拌後３５℃において静置したものである。また、試験菌液は、大腸菌もしくは黄色ブドウ球菌を、普通寒天倍地に移植し、３５℃で２４時間培養後、１コロニーを普通ブイヨンに接種し、３５℃で１８時間振とう培養し、この菌液をリン酸緩衝液で１０倍希釈を繰り返し、最終希釈段階で１／５００濃度普通ブイヨンを用いて調整したものである。大腸菌（Ｅｓｃｈｅｒｉｃｈｉａ  ｃｏｌｉ  ＩＦＯ  ３９７２）  黄色ブドウ球菌（Ｓｔａｐｈｙｌｏｃｏｃｃｕｓ  ａｕｒｅｕｓ  ＩＦＯ  １２７３２）
【００２３】
次に、おが屑に燃焼灰を５％混合して床敷を提供する条件３について説明する。本実施例において、燃焼灰を５％混合して床敷を敷設したのは、生後７０日目で成豚になった段階である。そして、おが屑の床敷に混合する燃焼灰は、豚の餌に混ぜた燃焼灰と同一の燃焼灰ある。この燃焼灰は、おが屑と混合された状態で、糞尿から発生する臭いを分解する。また、おが屑と混合した燃焼灰は糞尿により汚染されるが、これをよく混合して発酵させることにより、良質の肥料とすることができる。
【００２４】
飼育に係る人件費が大幅に削減できるのは、主に、おが屑に燃焼灰を５％混合して床敷としたことによる。この床敷は、４０〜５０ｃｍの厚さで、燃焼灰を混合したおが屑を敷くものであるが、通常、成豚になった段階で出荷されるまでの間、おが屑の入れ替え作業が基本的に必要のないものとなる。ただし、豚は一箇所だけ糞尿を垂らす習性があり、その箇所だけはじめじめするので、月に１から２回程度の裏返しを行う。この際、１００ｍ２当たり１０〜２０ｋｇの燃焼灰を振り掛ければ、悪臭が消え、好適な環境になる。以上、養豚舎内に蓄積される糞尿を随時清掃する手間が省け、さらに、糞尿の処理にかかる費用が節約でき、豚の世話をする人件費が節約される。
【００２５】
表４は、試験的に行った比較例であり、試験例２が実施例１の条件（条件１、２、３を備える。）で飼育したものである。
【表４】
0005045886.tif 000005
【００２６】
この表４より、試験例１と比較して試験例２の結果は、１日当たり増加する体重（日当増体重）が０．０５６Ｋｇ増加し、１０５Ｋｇ到達日数が、１３．２８日早まり、出荷平均体重が、９．４０Ｋｇ増加した。このような飼育効率の向上は、実施例１のように生育条件を変更することにより、達成されたものである。
生育条件を変更することにより、飼育効率を向上させることは、上述したとおりである。さらに、本発明の豚の飼育方法は、悪臭を発生させないこと等、近隣地域に対し悪影響を及ぼさないよう環境に配慮したものとなっている。
【００２７】
さらに、表５は、豚舎別に各６頭を選び、解体してその組成を調べた結果である。図５中、豚舎１は、実施例１の条件１、２、３を備えて飼育したものである。他方、豚舎２は、従来の飼育方法によるものであり、条件１、２、３を備えていない。因みに、対象とした豚の品種は、オーストラリア産ランドレース種である。
【表５】
0005045886.tif 000006
この表５に示すように、条件１、２、３を備えて飼育した豚は、脂肪の率が平均で２．６８％から１．８２％と低くなり、肉質の良い豚とすることができた。
【産業上の利用可能性】
【００２８】
セラミックス１２及び燃焼灰は、養豚の他、牛などの家畜一般の飼育に利用することができる。このようなセラミックス１２及び燃焼灰を、例えば、牛の飼育に利用した場合には、牛の成長が早くなるとともに、良質の牛肉が得られることが期待される。
【図１】
0005045886.tif 000007
【図２】
0005045886.tif 000008